(57)【特許請求の範囲】
【請求項１】
映像信号を送信する送信装置と、前記映像信号を受信する複数の受信装置とに接続可能な中継装置であって、
前記複数の受信装置へ前記映像信号を出力する複数の出力部と、
複数の制御ポートを有する制御部と、
前記出力部と前記制御ポートとを対応付けて接続する接続手段と、
前記接続手段によって接続される前記出力部と前記制御ポートとを対応付けて管理する管理手段と、
前記受信装置から前記中継装置または前記送信装置を制御するためのコマンドである制御コマンドを受信する制御コマンド受信手段と、
前記中継装置が前記受信装置へ前記映像信号を出力するとき、複数の前記出力部のいずれの前記出力部を優先するかを設定する出力設定手段と、
前記制御コマンドを受信した前記制御ポートを特定する制御ポート特定手段と、
前記制御コマンドを受信したとき、特定された前記制御ポートが、優先するように設定された前記出力部に接続されているか否かを判断する判断手段と、
特定された前記制御ポートに前記管理手段によって対応付けられている前記出力部を特定し、前記出力部が優先するように設定されていると判断されたとき、前記制御コマンドを実行する実行手段とを備える、中継装置。
【請求項２】
前記送信装置から前記映像信号を入力する入力部と、
前記入力部を、優先するように設定された前記出力部に接続されている前記制御ポートと接続し、優先するように設定されていない前記制御ポートと切断する接続切替手段と、
前記各出力部に接続される前記受信装置から、前記中継装置の物理アドレスを取得する中継装置物理アドレス取得手段と、
前記出力設定手段によって、優先するように設定された前記出力部に接続される前記受信装置から取得した前記物理アドレスを前記中継装置の前記物理アドレスとして使用するように設定する物理アドレス設定手段と、
設定された前記中継装置の前記物理アドレスに基づいて前記送信装置の前記物理アドレスを設定する送信装置物理アドレス設定手段と、
前記制御ポート特定手段によって特定された前記制御ポートが、優先するように設定された前記出力部に接続されている前記出力部に接続されていないと判断されたとき、前記送信装置に設定されている前記物理アドレスを特定する送信装置物理アドレス特定手段と、
優先するように設定された前記出力部に接続されている前記制御ポートから、前記送信装置に設定されている前記物理アドレスを用いて前記送信装置へ前記制御コマンドを送信する送信手段とを備える、請求項１に記載の中継装置。
【請求項３】
前記送信装置から前記中継装置または前記受信装置を制御するためのコマンドである制御コマンドを受信する第２制御コマンド受信手段を備え、
前記送信装置から前記制御コマンドを受信したとき、前記送信装置物理アドレス特定手段が、前記送信装置に設定されている前記物理アドレスである優先物理アドレスを特定し、
前記送信手段が、優先するように設定された前記出力部に接続されている前記制御ポートから、前記優先物理アドレスを用いて前記受信装置へ前記制御コマンドを送信する、請求項２に記載の中継装置。
【請求項４】
前記送信装置から前記制御コマンドを受信したとき、前記送信装置物理アドレス特定手段が、前記送信装置に設定されていない前記物理アドレスである非優先物理アドレスを特定し、
前記送信手段が、優先するように設定された前記出力部に接続されていない前記制御ポートから、前記非優先物理アドレスを用いて前記受信装置へ前記制御コマンドを送信する、請求項３に記載の中継装置。
【請求項５】
前記受信装置の電源状態が変化したことを検出する電源状態変化検出手段と、
前記受信装置の電源状態を取得する電源状態取得手段と、
前記受信装置の電源状態が変化したことを検出したとき、前記電源状態が変化した前記受信装置が接続される前記制御ポートを特定する電源変化検出ポート特定手段とを備え、
前記電源状態の変化を検出した前記制御ポートが優先するように設定された前記出力部に接続されているか否かの判断結果と、前記電源状態が変化したことを検出した前記制御ポートとは異なる前記制御ポートに接続される前記受信装置の前記電源状態とに基づき、前記優先するように設定された前記出力部に接続される前記受信装置と、前記中継装置と、前記送信装置とが動作するように、前記送信装置物理アドレス設定手段が前記送信装置へ前記物理アドレスを設定し、前記接続切替手段が接続を切り替える、請求項２〜４のいずれかに記載の中継装置。
【請求項６】
前記受信装置から、音声信号を受信するための認証コマンドを受信する認証コマンド受信手段と、
前記受信装置から送信される前記音声信号を受信する音声信号受信手段と、
複数のルームに設置される音声受信装置へ前記音声信号を出力する複数の音声出力部と、
前記制御ポートと、前記音声出力部とを対応付けて管理する音声出力部管理手段と、
前記認証コマンドを受信したとき、前記認証コマンドを受信した前記制御ポートに対応付けられた前記音声出力部を特定する音声出力部特定手段と、
前記受信装置から送信される前記音声信号を、特定された前記音声出力部から出力する出力手段とを備える、請求項１〜５のいずれかに記載の中継装置。
【請求項７】
請求項１〜６のいずれかに記載の中継装置の各手段を前記中継装置に実行させる、中継装置プログラム。
【発明の詳細な説明】
【技術分野】
【０００１】
本発明は、シンク機器とソース機器とに接続可能な中継機器に関する。
【背景技術】
【０００２】
近年、ＤＶＤプレーヤやＢｌｕ―ｒａｙ（登録商標。以下、Ｂｌｕ―ｒａｙという。）プレーヤ等の送信機器（以下、ソース機器という。）と、ＴＶ等の受信機器（以下、シンク機器という）とを、ＡＶアンプ等の中継機器（以下、リピータという。）を介してＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブルを用いて接続する形態が普及している。ＨＤＭＩケーブルを利用することで、デジタル形式でソース機器からの映像及び音声信号を高画質、高音質で送受信可能となる。
【０００３】
また、ＨＤＭＩ規格は、制御信号を双方向に伝送させるためのプロトコルであるＣＥＣ（Ｃｏｓｕｍｅｒ  Ｅｌｅｃｔｒｏｎｉｃｓ  Ｃｏｎｔｒｏｌ）を規定している。ＣＥＣを用いることで、例えば、ユーザ操作によってシンク機器（例えばＴＶ）に対してリモコン信号を送信するだけで、リピータやソース機器を連動して動作させることができる。
【０００４】
リピータの中には、複数のＨＤＭＩ出力端子を備えるものがある。複数のＨＤＭＩ出力端子を備えるリピータに複数のシンク機器が接続されると、リピータに接続されているソース機器からの映像信号を、同時に複数のシンク機器へ送信できる。例えば２つのシンク機器が異なる部屋に設置されている場合、ユーザは複数の部屋に設置されるシンク機器においてソース機器から送信されるコンテンツを視聴できる。また、複数のシンク機器は、それぞれリピータへＣＥＣコマンドを送信し、リピータまたはソース機器の設定や制御が可能である。
【０００５】
ＨＤＭＩ規格によると、シンク機器、リピータ、ソース機器の各機器に物理アドレスと論理アドレスとが割り当てられる。物理アドレスとは、ソース機器、リピータ及びシンク機器によって構成されるＡＶシステムのツリー構造における各機器の位置を識別するために用いられる固有の数値情報である。論理アドレスとは、機器のカテゴリを表すＩＤである。論理アドレスは主にコマンドの送信元及び宛先を指定するために使用され、物理アドレスは主に入力切り替え先を指定されるために使用される。物理アドレス及び論理アドレスの割り当ての詳細については後述する。
【０００６】
ところで、シンク機器がＴＶであった場合、ＴＶの物理アドレスはいずれも“０．０．０．０“であり、ＴＶの論理アドレスは０である。従って、リピータは複数のシンク機器からＣＥＣコマンドを受信したとき、物理アドレスと論理アドレスとから、ＣＥＣコマンドを送信したシンク機器を特定できない。ＣＥＣコマンドを送信したシンク機器を特定できない場合、リピータはＣＥＣコマンドを正常に実行できないので、誤動作を引き起こす。誤動作を回避するために、リピータはＣＥＣコマンドを受け付けるための制御線（以下、ＣＥＣ制御線という。）を一方のＨＤＭＩ出力端子のみに接続するハードウエア構成とする必要がある。従って、リピータは複数のシンク機器を接続可能であるが、ＣＥＣコマンドによって連動動作可能なシンク機器は１台に限定される。
【０００７】
図１７は、従来の構成によるシンク機器と、リピータと、ソース機器との接続図を示す。リピータ２００にシンク機器３００Ａと３００ＢとがＨＤＭＩケーブルによって接続される。シンク機器３００Ａと３００Ｂとは、それぞれ物理アドレス０．０．０．０と、論理アドレス０とを取得済みである。シンク機器３００Ａ及び３００ＢはＨＤＭＩ入力端子を複数備えており、シンク機器３００ＡのＨＤＭＩ  ＩＮ１、シンク機器３００ＢのＨＤＭＩ  ＩＮ２にリピータ２００が接続されている。リピータ２００はＨＤＭＩ出力端子を２つ備えており、ＨＤＭＩ  ＯＵＴ  Ｍａｉｎにはシンク機器３００Ａが接続され、ＨＤＭＩ  ＯＵＴ  Ｓｕｂにはシンク機器３００Ｂが接続される。リピータ２００にソース機器１００がＨＤＭＩケーブルによって接続される。ＣＥＣコマンドは、ＣＥＣ信号としてＨＤＭＩケーブルによって伝送される。
【０００８】
シンク機器３００Ａ、３００Ｂ、またはソース機器１００から受信するＣＥＣコマンドは、リピータ２００の制御部２１のＣＥＣ入出力ポートであるポートＡに入力される。また、リピータ２００がシンク機器３００Ａ、３００Ｂ、またはソース機器１００へ出力するＣＥＣコマンドはポートＡから出力される。ポートＡとＨＤＭＩ  ＯＵＴ  Ｍａｉｎとが接続される場合、ＣＥＣコマンドの送受信によって、シンク機器３００Ａとリピータ２００とソース機器１００とが連動可能である。しかしながら、シンク機器３００Ｂが接続されるＨＤＭＩ  ＯＵＴ  Ｓｕｂは、制御部２１のポートＡと接続されないのでＣＥＣコマンドによってシンク機器３００Ｂはリピータ２００及びソース機器１００と連動動作できない。すなわち、リピータ２００は複数のシンク機器３００のうち、１つのシンク機器３００（シンク機器３００Ａ）とのみＣＥＣコマンドで通信可能である。また、上記した通り、図１７の破線で示されるＣＥＣ信号線も敷設した場合、リピータ２００はシンク機器３００Ａ及び３００ＢからＣＥＣ信号をポートＡによって受信することは可能であるが、ＣＥＣ信号を送信したシンク機器３００を特定できないので、正常にＣＥＣコマンドを実行できない。
【０００９】
特開２００８−２４４９８０号公報には、通信機器が物理アドレスおよび論理アドレスを保持し、継続利用することにより、容易に双方向接続によるメッセージ伝送を継続させることが記載されている。
【００１０】
しかし、上記技術によると、リピータに複数台のシンク機器が接続されたとき、リピータは双方のシンク機器から送信されるＣＥＣコマンドに対し、正常に連動動作できない。
【先行技術文献】
【特許文献】
【００１１】
【特許文献１】特開２００８−２４４９８０号公報
【発明の概要】
【発明が解決しようとする課題】
【００１２】
本発明は上記従来の課題を解決するためになされたものであり、その目的は、中継装置に接続される複数の受信装置から送信される制御コマンドを受信したとき、制御コマンドによって指定される動作を正確に実行できる中継装置を提供することである。
【課題を解決するための手段】
【００１３】
本発明の好ましい実施形態による中継装置は、映像信号を送信する送信装置と、前記映像信号を受信する複数の受信装置とに接続可能な中継装置であって、前記複数の受信装置へ前記映像信号を出力する複数の出力部と、複数の制御ポートを有する制御部と、前記出力部と前記制御ポートとを対応付けて接続する接続手段と、前記接続手段によって接続される前記出力部と前記制御ポートとを対応付けて管理する管理手段と、前記受信装置から前記中継装置または前記送信装置を制御するためのコマンドである制御コマンドを受信する制御コマンド受信手段と、前記中継装置が前記受信装置へ前記映像信号を出力するとき、複数の前記出力部のいずれの前記出力部を優先するかを設定する出力設定手段と、前記制御コマンドを受信した前記制御ポートを特定する制御ポート特定手段と、前記制御コマンドを受信したとき、特定された前記制御ポートが、優先するように設定された前記出力部に接続されているか否かを判断する判断手段と、特定された前記制御ポートに前記管理手段によって対応付けられている前記出力部を特定し、前記出力部が優先するように設定されていると判断されたとき、前記制御コマンドを実行する実行手段とを備える。
【００１４】
中継装置は、複数の出力部と、複数の制御ポートを有する制御部とを備え、各出力部は、制御部の各制御ポートと接続される。中継装置は、複数の制御部のうち、いずれの出力部を優先するかを設定可能である。中継装置は受信装置から制御コマンドを受信したとき、制御コマンドを受信した制御部のポートを特定する。特定されたポートが、優先するように設定された出力部に接続されている場合、中継装置は、制御コマンドを実行する。この結果、中継装置は、複数の受信装置から制御コマンドを受信可能であり、制御コマンドを受信したとき、優先するように設定されている出力部に接続される受信装置から送信される制御コマンドを実行することができる。
【００１５】
好ましい実施形態においては、前記送信装置から前記映像信号を入力する入力部と、前記入力部を、優先するように設定された前記出力部に接続されている前記制御ポートと接続し、優先するように設定されていない前記制御ポートと切断する接続切替手段と、前記各出力部に接続される前記受信装置から、前記中継装置の物理アドレスを取得する中継装置物理アドレス取得手段と、前記出力設定手段によって、優先するように設定された前記出力部に接続される前記受信装置から取得した前記物理アドレスを前記中継装置の前記物理アドレスとして使用するように設定する物理アドレス設定手段と、設定された前記中継装置の前記物理アドレスに基づいて前記送信装置の前記物理アドレスを設定する送信装置物理アドレス設定手段と、  前記制御ポート特定手段によって特定された前記制御ポートが、優先するように設定された前記出力部に接続されている前記出力部に接続されていないと判断されたとき、前記送信装置に設定されている前記物理アドレスを特定する送信装置物理アドレス特定手段と、優先するように設定された前記出力部に接続されている前記制御ポートから、前記送信装置に設定されている前記物理アドレスを用いて前記送信装置へ前記制御コマンドを送信する送信手段とを備える。
【００１６】
中継装置は、送信装置に接続される入力部を、優先するように設定された制御ポートと接続し、優先するように設定されていない制御ポートと切断する。中継装置は、出力部の優先を変更したとき、中継装置が使用する物理アドレスを変更し、さらに送信装置へ設定する物理アドレスも変更する。中継装置は、受信装置から受信した制御コマンドを、優先するように設定されていない制御ポートによって受信したと判断したとき、送信装置に設定されている物理アドレスを用いて、優先するように設定されている制御ポートから制御コマンドを送信装置へ送信する。この結果、中継装置は、優先するように設定されていない出力部に接続される受信装置から送信された制御コマンドを実行できる。
【００１７】
本発明の別の好ましい実施形態による中継装置は、前記送信装置から前記中継装置または前記受信装置を制御するためのコマンドである制御コマンドを受信する第２制御コマンド受信手段を備え、前記送信装置から前記制御コマンドを受信したとき、前記送信装置物理アドレス特定手段が、前記送信装置に設定されている前記物理アドレスである優先物理アドレスを特定し、前記送信手段が、優先するように設定された前記出力部に接続されている前記制御ポートから、前記優先物理アドレスを用いて前記受信装置へ前記制御コマンドを送信する。
【００１８】
中継装置は、送信装置から制御コマンドを受信したとき、送信装置に設定されている物理アドレスを特定する。中継装置は、特定された物理アドレスを用いて、優先するように設定された出力部に接続されている制御ポートから受信装置へ制御コマンドを送信する。この結果、中継装置は送信装置から受信する制御コマンドを、優先するように設定されている受信装置へ送信することができる。
【００１９】
本発明の別の好ましい実施形態による中継装置は、前記送信装置から前記制御コマンドを受信したとき、前記送信装置物理アドレス特定手段が、前記送信装置に設定されていない前記物理アドレスである非優先物理アドレスを特定し、前記送信手段が、優先するように設定された前記出力部に接続されていない前記制御ポートから、前記非優先物理アドレスを用いて前記受信装置へ前記制御コマンドを送信する。
【００２０】
中継装置は、送信装置から受信する制御コマンドを受信したとき、送信装置に設定するために生成された物理アドレスのうち、送信装置に設定されていないほうの物理アドレスを特定する。中継装置は、特定された物理アドレスを用いて、受信装置へ制御コマンドを送信する。この結果、送信装置から送信される制御コマンドを複数の受信装置へ正常に送信することができる。
【００２１】
本発明の別の好ましい実施形態による中継装置は、前記受信装置の電源状態が変化したことを検出する電源状態変化検出手段と、  前記受信装置の電源状態を取得する電源状態取得手段と、前記受信装置の電源状態が変化したことを検出したとき、前記電源状態が変化した前記受信装置が接続される前記制御ポートを特定する電源変化検出ポート特定手段とを備え、前記電源状態の変化を検出した前記制御ポートが優先するように設定された前記出力部に接続されているか否かの判断結果と、前記電源状態が変化したことを検出した前記制御ポートとは異なる前記制御ポートに接続される前記受信装置の前記電源状態とに基づき、前記優先するように設定された前記出力部に接続される前記受信装置と、前記中継装置と、前記送信装置とが動作するように、前記送信装置物理アドレス設定手段が前記送信装置へ前記物理アドレスを設定し、前記接続切替手段が接続を切り替える。
【００２２】
中継装置は、受信装置の電源状態が変化したことを検出する。また、中継装置は、受信装置の電源状態を取得できる。中継装置は受信装置の電源状態が変化したことを検出したとき、電源状態が変化した受信装置が接続される出力部に接続される制御ポートを特定する。中継装置は、特定された制御ポートが優先するように設定されているか否かと、電源状態が変化したことを検出した制御ポートとは異なる制御ポートに接続される受信装置の電源状態とに基づき、優先するように設定された出力部に接続される受信装置と、中継装置と、送信装置とが動作するように設定する。この結果、中継装置は自動的に、優先するように設定された前記出力部に接続される受信装置が、中継装置及び送信装置とともに動作するように設定される。
【００２３】
本発明の別の好ましい実施形態による中継装置は、前記受信装置から、音声信号を受信するための認証コマンドを受信する認証コマンド受信手段と、前記受信装置から送信される前記音声信号を受信する音声信号受信手段と、複数のルームに設置される音声受信装置へ前記音声信号を出力する複数の音声出力部と、前記制御ポートと、前記音声出力部とを対応付けて管理する音声出力部管理手段と、前記認証コマンドを受信したとき、前記認証コマンドを受信した前記制御ポートに対応付けられた前記音声出力部を特定する音声出力部特定手段と、前記受信装置から送信される前記音声信号を、特定された前記音声出力部から出力する出力手段とを備える。
【００２４】
中継装置は、受信装置から送信される音声信号を音声出力部から出力可能である。中継装置は、受信装置から送信される音声信号を受信するための認証コマンドを送信した受信装置を特定できるので、受信装置と認証処理を正常に実行できる。その結果、中継装置は受信装置から送信される音声信号を出力できる。
【発明の効果】
【００２５】
複数の受信装置から制御コマンドを受信したとき、制御コマンドによって指定される動作を正確に実行できる中継装置を提供できる。
【図面の簡単な説明】
【００２６】
【図１】本発明の好ましい実施形態によるブロック図である。
【図２】シンク機器とリピータとの間のシーケンス図である。
【図３】リピータが有するテーブルである。
【図４】リピータが実行するフローチャートである。
【図５】リピータが有するテーブルである。
【図６】リピータが実行するフローチャートである。
【図７】リピータが実行するフローチャートである。
【図８】リピータが実行するフローチャートである。
【図９】リピータが実行するフローチャートである。
【図１０】機器接続図である
【図１１】機器接続図である
【図１２】機器接続図である。
【図１３】機器接続図である。
【図１４】機器接続図である。
【図１５】リピータが実行するフローチャートである。
【図１６】リピータが有するテーブルである。
【図１７】従来の実施形態による機器接続の概念図である。
【発明を実施するための形態】
【００２７】
以下、本発明の好ましい実施形態によるソース機器、リピータ及びシンク機器について、図面を参照して具体的に説明するが、本発明はこれらの実施形態には限定されない。
【００２８】
図１は、本発明の好ましい実施形態によるソース機器１００、リピータ２００、及びシンク機器３００のブロック図を示す。ソース機器１００は、制御部１１、メモリ１２、再生部１３、ＨＤＭＩ送信部１４、及びコネクタ部１５を備える。
【００２９】
制御部１１はメモリ１２に格納されたプログラムを実行することによりソース機器１００全体を制御するものであり、例えばマイコンやＣＰＵである。メモリ１２は、ソース機器１００の設定内容などを保持するものであり、例えばＲＯＭやＲＡＭである。再生部１３は、ソース機器１００に挿入されるディスクなどを再生するものであり、例えばＤＶＤ・Ｂｌｕ−ｒａｙ再生部や、ＨＤＤ再生部である。再生部１３はＤＶＤ・Ｂｌｕ−ｒａｙディスク等のコンテンツを再生し、再生されたコンテンツの映像信号及び音声信号は、ＨＤＭＩ送信部１４へ出力される。
【００３０】
ＨＤＭＩ送信部１４は、コネクタ部１５に接続されており、再生部１３から入力された映像信号及び音声信号を、制御部１１の制御に基づいて、ＨＤＭＩ規格の信号（以下、ＨＤＭＩ信号という。）に変換する。また、ＨＤＭＩ送信部１４は、制御部１１の制御に基づき、ＨＤＭＩ信号を送信する。
【００３１】
ソース機器１００のコネクタ部１５は、リピータ２００のコネクタ部２３とＨＤＭＩケーブルで接続される。ＨＤＭＩケーブルは、ＨＤＭＩ信号を通信するＴＭＤＳラインと、ホットプラグを検出するホットプラグラインと、ＥＤＩＤなどのデータを通信するＤＤＣ（Ｄｉｓｐｌａｙ  Ｄａｔａ  Ｃｈａｎｎｎｅｌ）ラインと、機器間連携用の信号を通信するＣＥＣラインとで構成される。
【００３２】
リピータ２００は、制御部２１、メモリ２２、コネクタ部２３、ＨＤＭＩ受信部２４、スイッチ２５、音声処理部２６Ａ、増幅部２７Ａ、音声処理部２６Ｂ、増幅部２７Ｂ、ＨＤＭＩ送信部２８、及びコネクタ部２９Ａ、２９Ｂを有する。以下、特に区別する必要がないときは、音声処理部２６Ａ、２６Ｂを単に音声処理部２６といい、増幅部２７Ａ、２７Ｂを単に増幅部２７といい、コネクタ部２９Ａ、２９Ｂを単にコネクタ部２９という。増幅部２７Ａにはスピーカー３０Ａが接続され、増幅部２７Ｂにはスピーカー３０Ｂが接続される。リピータ２００は音声処理部２６及び増幅部２７を複数備えるので、スピーカー３０Ａとスピーカー３０Ｂとへ同時に音声を出力できる。スピーカー３０Ａをメインルームに設置し、スピーカー３０Ｂをゾーン２ルームに設置することが可能である。また、以下、特に区別する必要がないときは、スピーカー３０Ａ、スピーカー３０Ｂを単にスピーカー３０という。メモリ２２は、後述するテーブル２０１を有する。音声処理部２６はＤＩＲやＤＳＰ等などである。音声処理部２６のＤＩＲはＨＤＭＩ受信部２４が受信する音声信号、または後述するシンク機器３００から送信されるＡＲＣ（Ａｕｄｉｏ  Ｒｅｔｕｒｎ  Ｃｈａｎｎｎｅｌ）信号をＤＳＰが処理可能なフォーマットへ変換し、音声処理部２６のＤＳＰは音声信号に音場補正等の処理を実行する。音声処理部２６で処理された音声信号は、ＤＡＣやアンプで構成される増幅部２７を介してスピーカー３０から出力される。
【００３３】
制御部２１はメモリ２２に格納されたプログラムを実行することによりリピータ２００全体を制御するものであり、例えばマイコンやＣＰＵである。メモリ２２は、リピータ２００の設定内容などを保持するものであり、例えばＲＯＭやＲＡＭである。制御部２１は、複数の制御ポート（以下、ポートという）を備える。ポートＡはコネクタ部２９Ａ及びスイッチ２５のＳ１と接続され、シンク機器３００Ａから受信するＣＥＣコマンド及びソース機器１００から受信するＣＥＣコマンドが入力される。また、ポートＡからシンク機器３００Ａ及びソース機器１００へＣＥＣコマンドを出力する。ポートＢは、コネクタ部２９Ｂ及びスイッチ２５のＳ２と接続され、シンク機器３００Ｂから受信するＣＥＣコマンド及びソース機器１００から受信するＣＥＣコマンドが入力される。また、ポートＢからシンク機器３００Ｂ及びソース機器１００へＣＥＣコマンドを出力する。ポートＳは、スイッチ２５と接続され、制御部２１の指示によってＳ０とＳ１とが接続される状態、またはＳ０とＳ２とが接続される状態に切り替えられる。
【００３４】
ＨＤＭＩ受信部２４は、制御部２１の制御に基づき、受信したＨＤＭＩ信号から元の映像データを生成し、ＨＤＭＩ送信部２８へ送信する。また、ＨＤＭＩ受信部２８は、制御部２１の制御に基づき、ＨＤＭＩ信号から元の音声信号を生成し、音声処理部２６に供給する。ＨＤＭＩ送信部２８は、コネクタ部２９に接続されており、ＨＤＭＩ受信部２４から入力され、復号化された映像信号を、制御部２１の制御に基づいて、ＨＤＭＩ信号に変換し、シンク機器３００へ送信する。
【００３５】
シンク機器３００Ａは、制御部４１Ａ、メモリ４２Ａ、ＨＤＭＩ受信部４３Ａ、及び表示部４４Ａを備える。シンク機器３００Ｂはシンク機器３００Ａと同一の構成を有する。以下、特に区別する必要がないときは、制御部４１Ａ、４１Ｂ、メモリ４２Ａ、４２Ｂ、ＨＤＭＩ受信部４３Ａ、４３Ｂ、及び表示部４４Ａ、４４Ｂをそれぞれ、制御部４１、メモリ４２、ＨＤＭＩ受信部４３、表示部４４といい、コネクタ部４５Ａ、コネクタ部４５Ｂを単にコネクタ部４５という。図１はシンク機器３００Ａがメインルームに設置され、シンク機器３００Ｂがゾーン２ルームに設置される状態を示す。
【００３６】
制御部４１はメモリ４２に格納されたプログラムを実行することによりシンク機器３００全体を制御するものであり、例えばマイコンやＣＰＵである。メモリ４２は、シンク機器３００の設定内容などを保持するものであり、例えばＲＯＭやＲＡＭである。ＨＤＭＩ受信部４３は、コネクタ部４５と接続されており、制御部４１の制御に基づき、リピータ２００から送信されるＨＤＭＩ信号を受信する。また、ＨＤＭＩ受信部４３は、制御部４１の制御に基づき、受信したＨＤＭＩ信号から元の映像データを生成し、表示部４４へ出力する。表示部４４はディスプレイであり、例えば液晶ディスプレイやプラズマディスプレイである。
【００３７】
コネクタ部４５Ａとコネクタ部２９Ａ、及びコネクタ部４５Ｂとコネクタ部２９Ｂは、前記したＤＤＣライン、ＣＥＣライン、ＴＭＤＳライン、ホットプラグラインに加え、ＨＥＡＣ（ＨＤＭＩ  Ｅｔｈｅｒｎｅｔ（登録商標。以下、Ｅｔｈｅｒｎｅｔ）  ａｎｄ  Ａｕｄｉｏ  ｒｅｒｕｒｎ  Ｃｈａｎｎｅｌ）ラインを有する。ＨＥＡＣラインはＨＤＭＩケーブルでイーサネット（登録商標。以下、イーサネットという。）信号を伝送できる。また、ＨＥＡＣラインは、ＳＰＤＩＦ（Ｓｏｎｙ  Ｐｈｉｌｉｐｓ  Ｄｉｇｉｔａｌ  ＩｎｔｅｒＦａｃｅ）フォーマット等の音声信号をシンク機器３００からリピータ２００へ伝送できる。これにより、ＴＶであるシンク機器３００は、ＴＶチューナー等によって受信された放送データの音声信号を、ＨＤＭＩケーブルを介してリピータ２００へ送信できる。リピータ２００はＨＥＡＣラインを介して受信する音声信号を、スピーカー３０から出力可能である。
【００３８】
以上の構成を備えるリピータ２００の制御部２１は、シンク機器３００からＣＥＣコマンドを受信したとき、ポートＡまたはポートＢのいずれのポートにＣＥＣコマンドが入力されたかを特定する。さらに制御部２１は、特定されたポートが、リピータ２００において優先して出力する出力設定がされているＨＤＭＩ  ＯＵＴ端子に接続されるポートであるか否かを判断する。制御部２１は優先して出力する出力設定がされているポートであると判断したとき、ＣＥＣコマンドを実行し、ソース機器１００が実行する必要があるＣＥＣコマンドである場合、ソース機器１００へＣＥＣコマンドを送信する。また、シンク機器３００へ応答を送信する必要がある場合、制御部２１は特定されたポートからＣＥＣ応答コマンドを送信する。
【００３９】
以下、本発明の動作を説明する。図２は、シンク機器３００とリピータ２００とが物理アドレス及び論理アドレスを設定するシーケンスチャートを示す。
【００４０】
物理アドレスとは、４ビットずつ４つに区切られた１６ビットの数値が使われる識別番号で、（０．０．０．０）のように０から１５までの１０進数の数字を４つ並べて表現される。物理アドレスが各機器に割り当てられることにより、ＨＤＭＩケーブルで接続される各機器のツリー構造における位置が識別される。シンク機器３００がＴＶの場合は、物理アドレス（０．０．０．０）が割り当てられる。シンク機器３００のＨＤＭＩ  ＩＮ１に接続されるリピータ２００には、物理アドレス（１．０．０．０）が、ＨＤＭＩ  ＩＮ２に接続されるリピータ２００には、物理アドレス（２．０．０．０）が割り当てられる。論理アドレスとは、機器のカテゴリを表すＩＤである。論理アドレスは主にコマンドの送信元及び宛先を指定するために使用され、物理アドレスは主に入力切り替え先を指定されるために使用される。論理アドレスは機器のカテゴリごとに使用可能な数値が決まっており、例えばシンク機器３００がＴＶの場合、０が使用可能である。リピータ２００が使用可能な論理アドレスは５であり、ＤＶＤプレーヤなどのプレーヤの場合、使用可能な論理アドレスは４、８または１１のいずれかである。なお、以下ではシンク機器３００ＡのＨＤＭＩ  ＩＮ１端子にリピータ２００が接続され、シンク機器３００ＢのＨＤＭＩ  ＩＮ２端子にリピータ２００が接続される状態を想定する。すなわち、図１のシンク機器３００Ａのコネクタ部４５Ａは図１８のＨＤＭＩ  ＩＮ１に対応し、図１のシンク機器３００Ｂのコネクタ部４５Ｂは図１８のＨＤＭＩ  ＩＮ２に対応する。
【００４１】
リピータ２００の制御部２１はシンク機器３００と接続されるＨｏｔＰｌｕｇラインを監視し、ＨｏｔＰｌｕｇがＨｉｇｈに変更されたか否かを判断する（Ｓ１０１）。ＨｏｔＰｌｕｇは各機器がＨＤＭＩケーブルで接続されたときや、機器の電源が投入されたとき等にＨｉｇｈに変更される。制御部２１はＨｏｔＰｌｕｇがＬｏｗのままであると判断した場合（Ｓ１０１でＮＯ）、ＨｏｔＰｌｕｇがＨｉｇｈになるのを待つ。シンク機器３００の制御部４１は、電源が投入されたとき（Ｓ１０２）、シンク機器３００の２つのＨＤＭＩ入力端子のうち、ＨＤＭＩ  ＩＮ１にリピータ２００が接続されているか否かを判断する（Ｓ１０３）。例えば、シンク機器３００がシンク機器３００Ａである場合、ＨＤＭＩ  ＩＮ１であると判断し（Ｓ１０３でＹＥＳ）、シンク機器３００がシンク機器３００Ｂである場合、ＨＤＭＩ  ＩＮ２であると判断する（Ｓ１０３でＮＯ）。以下の説明では、シンク機器３００はシンク機器３００Ａであるとする。
【００４２】
シンク機器３００の制御部４１は、ＨＤＭＩ  ＩＮ１であると判断した場合（Ｓ１０３でＹＥＳ）、リピータ２００へ提示する物理アドレスを（１．０．０．０）に設定する（Ｓ１０４）。図２のＰＡはＰｈｙｓｉｃａｌ  Ａｄｄｒｅｓｓの略であり、物理アドレスを示す。なお、シンク機器３００がシンク機器３００Ｂの場合、ＨＤＭＩ  ＩＮ２にリピータ２００が接続されているので、シンク機器３００Ｂの制御部４１Ｂがリピータ２００へ提示する物理アドレスは、（２．０．０．０）である（Ｓ１０５）。シンク機器３００の制御部４１はリピータ２００に提示するＥＤＩＤに、Ｓ１０４またはＳ１０５で生成した物理アドレスを設定する（Ｓ１０６）。ＥＤＩＤとは、各機器が対応している解像度や物理アドレスを含むＩＤである。各機器はＥＤＩＤを送受信することにより、相手機器の出力解像度等の情報を取得する。
【００４３】
シンク機器３００の制御部４１は、ＨＤＭＩ送信部１４にＨｏｔＰｌｕｇをＨｉｇｈに変更させる（Ｓ１０７）。リピータ２００の制御部２１は、ＨｏｔＰｌｕｇがＨｉｇｈになったことを検出し（Ｓ１０１でＹＥＳ）、ＥＤＩＤを読み出すための要求をシンク機器３００へ送信し、ＥＤＩＤを取得する（Ｓ１０８）。リピータ２００の制御部２１は、ＥＤＩＤに記載されている物理アドレスを参照し、リピータ２００の物理アドレス（１．０．０．０）を確定する（Ｓ１０９）。Ｓ１０９までの処理により、リピータ２００はリピータ２００のＨＤＭＩ  ＯＵＴ  Ｍａｉｎ端子に接続されるシンク機器３００に対応する物理アドレスを確定する。
【００４４】
リピータ２００の制御部２１は、論理アドレスの５番を取得するため、他の機器が論理アドレスの５番を使用中でないかを確認するための確認コマンドをブロードキャストし、各機器からの応答を待つ（Ｓ１１０）。ＨＤＭＩ規格において、リピータ２００の論理アドレスを５に設定すべきことが規定されている。なお、図２のシーケンスチャートのＬＡとはＬｏｇｉｃａｌ  Ａｄｄｒｅｓｓの略であり、論理アドレスを示す。
【００４５】
リピータ２００の制御部２１は、論理アドレス５番を使用可能であると判断した場合、リピータ２００自身の論理アドレスを５に確定する（Ｓ１１１）。図３は、リピータ２００のメモリ２２に記憶されるテーブル２０１を示す。テーブル２０１は、ＨＤＭＩ出力端子に対応付けて、リピータ２００に設定された論理アドレス、物理アドレス、シンク機器３００の論理アドレス、物理アドレス、制御部２１のポート、及び優先設定がされているＨＤＭＩ出力部であるか否かの情報である優先フラグを管理する。Ｓ１１１までの処理により、制御部２１は、図３に示される情報のうち、ＨＤＭＩ  ＯＵＴ  Ｍａｉｎに関するリピータ２００の情報をメモリ２２に記憶する。すなわち、リピータ２００のＨＤＭＩ  ＯＵＴ  Ｍａｉｎ端子に対応するリピータ２００の物理アドレスは１．０．０．０であり、論理アドレスは５であることが記憶される。図３のマイコンポートは制御部２１のポートを示し、ＨＤＭＩ出力端子と対応付けて管理される。ポートＡはＨＤＭＩ  ＯＵＴ  Ｍａｉｎと接続されるので、ＨＤＭＩ  ＯＵＴ  Ｍａｉｎに対応するマイコンポートはポートＡである。テーブル２０１の優先フラグの設定については後述する。
【００４６】
シンク機器３００の制御部４１は、Ｓ１１０において論理アドレスの５番を取得するためのブロードキャストをした機器の物理アドレスを問い合わせるコマンドを送信する（Ｓ１１２）。これに対し、リピータ２００の制御部２１は、自身の物理アドレス（１．０．０．０）をブロードキャストで送信する（Ｓ１１３）。
【００４７】
シンク機器３００の制御部４１は、リピータ２００の論理アドレスと物理アドレスとを、現在設定中のＨＤＭＩ  ＩＮに対応付けて記憶する（Ｓ１１４）。シンク機器３００Ａは、入力セレクタごとに、入力セレクタに接続されるリピータ２００の物理アドレスと論理アドレスとを管理する。例えば、シンク機器３００ＡのＨＤＭＩ  ＩＮ１にはリピータ２００が接続されるので、シンク機器３００ＡはＨＤＭＩ  ＩＮ１に対応付けて、ＰＡ＝１．０．０．０とＬＡ＝５とを記憶する。
【００４８】
シンク機器３００の制御部４１は、シンク機器３００自身の論理アドレスとして０番を使用することをブロードキャストでリピータ２００へ通知し、確定する（Ｓ１１５）。
【００４９】
リピータ２００の制御部２１は、Ｓ１１５の処理によって、論理アドレスの取得要求を実行している機器の存在を検知する（Ｓ１１６）。リピータ２００の制御部２１は、論理アドレスの要求処理を実行した機器に対し、物理アドレスを取得するための要求を送信する（Ｓ１１７）。シンク機器３００の制御部４１は、シンク機器３００の物理アドレス（０．０．０．０）をブロードキャストする（Ｓ１１８）。リピータ２００の制御部２１は、シンク機器３００の論理アドレスと物理アドレスとを、設定中のＨＤＭＩ出力端子と対応付けてテーブル２０１へ記憶する（Ｓ１１９）。すなわち、制御部２１は、テーブル２０１にシンク機器３００のＬＡ＝０と、ＰＡ＝０．０．０．０とを記憶する。
【００５０】
リピータ２００は、ＨＤＭＩ  ＯＵＴ  Ｓｕｂに接続されるシンク機器３００ＢからＨｏｔＰｌｕｇがＨｉｇｈにされるのを監視し（Ｓ１０１）、上記と同様の処理を実行する。その結果、リピータ２００は、図３のテーブル２０１に示すように、ＨＤＭＩ  ＯＵＴ  Ｓｕｂ端子に対して、リピータ２００の物理アドレス、論理アドレス、シンク機器の論理アドレス、及び物理アドレスを対応付けて記憶する。なお、リピータ２００とソース機器１００とは、図２と同様の処理を実行し、論理アドレス及び物理アドレスを設定する。その場合、図２において、シンク機器をリピータと、リピータをソース機器と読み替えられる。
【００５１】
以上の処理により、リピータ２００は図３のテーブル２０１に示すように、ＨＤＭＩ  ＯＵＴ  ＭａｉｎとＨＤＭＩ  ＯＵＴ  Ｓｕｂとのそれぞれに対応させてリピータ２００の物理アドレス、論理アドレス、シンク機器３００の物理アドレス、論理アドレス、及び制御部２１のポートを記憶する。優先フラグは、後述するフローチャートにおいて設定される。
【００５２】
図４は、リピータ２００において、ユーザ操作によってＨＤＭＩ  ＯＵＴ  ＭａｉｎとＨＤＭＩ  ＯＵＴ  Ｓｕｂとから映像を出力する設定を変更されたときにリピータ２００の制御部２１が実行するフローチャートを示す。本実施形態において、リピータ２００の制御部２１は出力設定変更に応じて、リピータ２００が有効にする物理アドレスとソース機器１００へ提示する物理アドレスとを切り替える。さらに、制御部２１は出力設定変更が実行されるとき、スイッチ２５を切り替えるので、シンク機器３００とリピータ２００とソース機器１００とが連動するための通信経路を適切に確立することができる。
【００５３】
リピータ２００はソース機器１００から受信する映像信号をシンク機器３００Ａ及びシンク機器３００Ｂに対して同時に出力可能である。以下、リピータ２００のＨＤＭＩ  ＯＵＴ端子の映像信号出力の設定をモニタアウト設定という。モニタアウト設定には、Ｂｏｔｈ設定、Ｂｏｔｈ（Ｍａｉｎ）設定、Ｂｏｔｈ（Ｓｕｂ）設定、Ｍａｉｎ設定、及びＳｕｂ設定がある。モニタアウト設定がＢｏｔｈ設定、Ｂｏｔｈ（Ｍａｉｎ）設定、またはＢｏｔｈ（Ｓｕｂ）設定に設定された場合、リピータ２００はソース機器１００から受信する映像信号をシンク機器３００Ａとシンク機器３００Ｂとの両方へ出力する。シンク機器３００Ａの最大対応解像度が１０８０ｐであり、シンク機器３００Ｂの最大対応解像度が１０８０ｉであり、ソース機器１００が解像度１０８０ｐの映像信号をリピータ２００へ出力したとき、リピータ２００は以下のように動作する。最大対応解像度とは、シンク機器３００が表示可能な映像信号の最大の解像度である。なお、リピータ２００は各シンク機器３００が対応可能な解像度の情報をＥＤＩＤを受信することによって識別する。
【００５４】
リピータ２００においてＢｏｔｈ設定がされている場合であって、リピータ２００がソース機器１００から解像度１０８０ｐの映像信号を受信したとき、リピータ２００は映像信号を解像度１０８０ｉに変換してシンク機器３００Ａとシンク機器３００Ｂとへ出力する。すなわち、リピータ２００はソース機器１００から受信した映像信号を、シンク機器３００Ａとシンク機器３００Ｂとが両方とも出力可能な解像度へ変更して出力する。
【００５５】
リピータ２００においてモニタアウト設定がＢｏｔｈ（Ｍａｉｎ）に設定された場合であって、リピータ２００がソース機器１００から１０８０ｐの映像信号を受信した場合、リピータ２００はシンク機器３００Ａとシンク機器３００Ｂとへ映像信号を１０８０ｐのまま出力する。すなわち、リピータ２００はソース機器１００から受信した映像信号を、ＨＤＭＩ  ＯＵＴ  Ｍａｉｎに接続されるシンク機器３００が表示可能であればそのまま出力する。ＨＤＭＩ  ＯＵＴ  Ｍａｉｎに接続されるシンク機器３００が優先されるので、最大対応解像度が１０８０ｉであるシンク機器３００Ｂは映像を表示できない。
【００５６】
モニタアウト設定がＢｏｔｈ（Ｓｕｂ）に設定されているとき、ＨＤＭＩ  ＯＵＴ  Ｓｕｂ端子に接続されるシンク機器３００Ｂへの映像信号出力が優先される。上記例においてはシンク機器３００Ｂの最大対応解像度が１０８０ｉであるので、リピータ２００はソース機器１００から受信した解像度１０８０ｐの映像信号を解像度１０８０ｉに変更してシンク機器３００Ａとシンク機器３００Ｂとへ出力する。この結果、シンク機器３００Ａ及びシンク機器３００Ｂはリピータ２００から解像度１０８０ｉの映像信号を受信し、表示する。
【００５７】
リピータ２００の制御部２１は、ユーザ操作によってモニタアウト設定の変更指示が入力される（Ｓ２０１）。制御部２１は、モニタアウト設定がＢｏｔｈ、Ｂｏｔｈ（Ｍａｉｎ）又はＢｏｔｈ（Ｓｕｂ）のいずれかであるか否かを判断し（Ｓ２０２）、いずれかであると判断された場合（Ｓ２０２でＹＥＳ）、モニタアウト設定がＢｏｔｈ又はＢｏｔｈ（Ｍａｉｎ）であるか否かを判断し（Ｓ２０３）、Ｂｏｔｈ又はＢｏｔｈ（Ｍａｉｎ）であると判断された場合（Ｓ２０３でＹＥＳ）、スイッチ２５をＳ０とＳ１とが接続されるように切り替える（Ｓ２０４）。Ｓ０とＳ１とが接続された場合、ＨＤＭＩ  ＯＵＴ  Ｍａｉｎ（コネクタ部２９Ａ）と、ＨＤＭＩ  ＯＵＴ  Ｍａｉｎに接続される制御部２１のポートＡと、コネクタ部２３との間の通信経路が確立され、シンク機器３００Ａとリピータ２００とソース機器１００とがＣＥＣコマンドによって連動する。
【００５８】
制御部２１は、図３のテーブル２０１を参照し、ＨＤＭＩ  ＯＵＴ  Ｍａｉｎに割り当てられている物理アドレスである（１．０．０．０）をリピータ２００自身が使用する物理アドレスに設定する（Ｓ２０５）。
【００５９】
制御部２１は、ソース機器１００へ、物理アドレス（１．１．０．０）を提示する（Ｓ２０６）。図４のフローチャートのＳ−ＰＡはソース機器１００へ提示する物理アドレスを示す。なお、リピータ２００においてモニタアウト設定が変更されると、ソース機器１００の物理アドレスはリピータ２００によって提示される値に再設定される。図５はリピータ２００が有するテーブルであり、モニタアウト設定に対応付けてリピータ２００の物理アドレスと、ソース機器へ提示する物理アドレスとを管理する。なお、図５の優先フラグは説明のために追加したものであり、必ずしも図５において管理する必要はない。例えば、図５は、モニタアウト設定がＭａｉｎ、ＢｏｔｈまたはＢｏｔｈ（Ｍａｉｎ）であった場合、Ｓ２０５の処理によってリピータ２００が有効にする物理アドレスは（１．０．０．０）であり、ソース機器へ提示する物理アドレスは（１．１．０．０）であることを示す。
【００６０】
制御部２１は、図３のテーブル２０１のＨＤＭＩ  ＯＵＴ  Ｍａｉｎの優先フラグをＴＲＵＥに設定し（Ｓ２０７）、ＨＤＭＩ  ＯＵＴ  Ｓｕｂの優先フラグをＦＡＬＳＥに設定する（Ｓ２０８）。制御部２１はシンク機器３００からＣＥＣコマンドを受信したとき、ＣＥＣコマンドを送信したシンク機器３００が接続されているＨＤＭＩ  ＯＵＴ端子に対応する優先フラグがＴＲＵＥに設定されているか否かによって、ソース機器１００へＣＥＣコマンドを送信するか否か等を判断する。なお、図５の優先フラグも図３の優先フラグと同一の値に書き換えられる。
【００６１】
以上の処理によって、モニタアウト設定がＨＤＭＩ  ＯＵＴ  Ｍａｉｎを優先するように設定されたとき、リピータ２００は、図３のテーブル２０１のＨＤＭＩ  ＯＵＴ  Ｍａｉｎに対応する物理アドレスを有効にし、ソース機器１００はリピータ２００によって提示される物理アドレスを設定する。
【００６２】
制御部２１は、モニタアウト設定がＢｏｔｈまたはＢｏｔｈ（Ｍａｉｎ）またはＢｏｔｈ（Ｓｕｂ）のいずれでもないと判断したとき（Ｓ２０２でＮＯ）、モニタアウト設定がＭａｉｎ設定であるか否かを判断する（Ｓ２０９）。Ｍａｉｎ設定の場合、制御部２１はＨＤＭＩ  ＯＵＴ  Ｍａｉｎに接続されるシンク機器３００Ａのみへ映像信号を送信する。制御部２１は、Ｍａｉｎ設定であると判断したとき（Ｓ２０９でＹＥＳ），Ｓ２０５以降の処理を実行する。
【００６３】
制御部２１は、モニタアウト設定がＢｏｔｈまたはＢｏｔｈ（Ｍａｉｎ）のいずれでもないと判断したとき（Ｓ２０３でＮＯ）、スイッチ２５をＳ０とＳ２とが接続されるように切り替える（Ｓ２１１）。Ｓ０とＳ２とが接続された場合、ＨＤＭＩ  ＯＵＴ  Ｓｕｂ（コネクタ部２９Ｂ）と、ＨＤＭＩ  ＯＵＴ  Ｓｕｂに接続される制御部２１のポートＢと、ソース機器１００とが接続されるコネクタ部２３との間の通信経路が確立され、シンク機器３００Ｂとリピータ２００とソース機器１００とがＣＥＣコマンドによって連動する。
【００６４】
制御部２１は、図３を参照し、ＨＤＭＩ  ＯＵＴ  Ｓｕｂに割り当てられている物理アドレスである（２．０．０．０）をリピータ２００自身が使用する物理アドレスとする（Ｓ２１２）。
【００６５】
制御部２１は、ソース機器１００へ、物理アドレス（２．１．０．０）を提示する（Ｓ２１３）。Ｓ２０６の処理と同様、制御部２１は、図３のテーブル２０１のＨＤＭＩ  ＯＵＴ  Ｓｕｂに対応する物理アドレスである（２．０．０．０）に基づき、ソース機器１００へ物理アドレス（２．１．０．０）を提示し、図５のテーブルのＢｏｔｈ（Ｓｕｂ）及びＳｕｂに対応付けて管理する。
【００６６】
制御部２１は、図３のテーブル２０１のＨＤＭＩ  ＯＵＴ  Ｓｕｂの優先フラグをＴＲＵＥに設定し（Ｓ２１４）、ＨＤＭＩ  ＯＵＴ  Ｍａｉｎの優先フラグをＦＡＬＳＥに設定する（Ｓ２１５）。
【００６７】
以上の処理によって、モニタアウト設定がＨＤＭＩ  ＯＵＴ  Ｓｕｂを優先するように設定されたとき、リピータ２００は、図３のテーブル２０１のＨＤＭＩ  ＯＵＴ  Ｓｕｂに対応する物理アドレスを有効にし、ソース機器１００はリピータ２００によって提示される物理アドレス設定にする。
【００６８】
制御部２１は、モニタアウト設定がＭａｉｎ設定でないと判断したとき（Ｓ２０９でＮＯ）、モニタアウト設定がＳｕｂ設定であるか否かを判断し（Ｓ２１０）、Ｓｕｂ設定であると判断したとき（Ｓ２１０でＹＥＳ）、Ｓ２１１以降の処理を実行する。モニタアウト設定がＳｕｂ設定の場合、リピータ２００はＨＤＭＩ  ＯＵＴ  Ｓｕｂに接続されるシンク機器３００Ｂのみへ映像信号を送信する。また、制御部２１は、モニタアウト設定がＳｕｂ設定でないと判断したとき（Ｓ２１０でＮＯ）、モニタアウト設定がエラーであるので、処理を終了する。
【００６９】
以上の処理によって、モニタアウト設定が変更されたとき、スイッチ２５の接続状態と、ソース機器１００の物理アドレスの設定とが自動的に変更される。この結果、モニタアウト設定によって優先されるように設定されたシンク機器３００は、リピータ２００及びソース機器１００と連動することが可能となる。
【００７０】
［ＣＥＣ連動処理の実施形態１］
図６は、リピータ２００がシンク機器３００からＣＥＣコマンドを受信するときのフローチャートを示す。本実施形態によると、リピータ２００はシンク機器３００からＣＥＣコマンドを受信したとき、ＣＥＣコマンドを受信した制御部２１のポートを特定することによって、ＣＥＣコマンドを適切に実行することができる。
【００７１】
リピータ２００の制御部２１は、シンク機器３００からＣＥＣコマンドを受信したか否かを判断し（Ｓ３０１）、受信していないと判断されるとき（Ｓ３０１でＮＯ）、ＣＥＣコマンドの送信を待つ。制御部２１は、シンク機器３００からＣＥＣコマンドを受信したと判断したとき（Ｓ３０１でＹＥＳ）、ＣＥＣコマンドを受信した制御部２１のポートを特定する（Ｓ３０２）。
【００７２】
制御部２１は、ＣＥＣコマンドを受信したポートが図３のテーブル２０１の優先フラグがＴＲＵＥのポートであるか否かを判断し（Ｓ３０３）、ＦＡＬＳＥが設定されているポートであると判断したとき（Ｓ３０３でＮＯ）、優先フラグがＦＡＬＳＥに設定されているＨＤＭＩ  ＯＵＴ端子から送信されたＣＥＣコマンドはソース機器１００へ送信する必要がないので、処理を終了する。例えば、制御部２１のポートＢがＣＥＣコマンドを受信したと判断されたときであって、ＨＤＭＩ  ＯＵＴ  Ｓｕｂの優先フラグがＦＡＬＳＥに設定されていた場合、Ｓ３０３でＮＯと判断される。
【００７３】
優先フラグがＴＲＵＥに設定されていると判断された場合（Ｓ３０３でＹＥＳ）、制御部２１は、ＣＥＣコマンドを実行する（Ｓ３０４）。なお、制御部２１は、リピータ２００において実行する必要がないＣＥＣコマンドであると判断したときは、Ｓ３０４の処理を実行しなくてもよい。
【００７４】
制御部２１は、ソース機器１００へＣＥＣコマンドを送信する（Ｓ３０５）。ソース機器１００へ送信するＣＥＣコマンドは、例えばソース機器１００の再生開始や再生停止のコマンドである。
【００７５】
制御部２１は、ＣＥＣコマンドを実行したことを示すＣＥＣコマンドをシンク機器３００へ送信する（Ｓ３０６）。シンク機器３００はリピータ２００から受信するＣＥＣコマンドによって、シンク機器３００の表示部４４にＣＥＣコマンド実行後の情報を表示する。例えば、シンク機器３００は、リピータ２００の音量値を変更するＣＥＣコマンドを送信した後、リピータ２００から変更後の音量値を受信し、受信した音量値を表示部４４に表示する。なお、制御部２１はＣＥＣコマンドの実行結果を応答する必要がない場合はＳ３０６の処理を実行しなくてもよい。
【００７６】
以上の本実施形態によると、制御部２１はＣＥＣコマンドを送信したシンク機器３００を、ＣＥＣコマンドを受信したポートによって判断できるので、正常にソース機器１００へＣＥＣコマンドを送信でき、かつ、シンク機器３００へ正常に応答を送信できる。
【００７７】
［ＣＥＣ連動処理の実施形態２］
図７のフローチャートは、第２の実施形態を示す。本実施形態によると、リピータ２００はシンク機器３００からＣＥＣコマンドを受信したとき、制御部２１の受信ポートが、優先フラグがＦＡＬＳＥに設定されているポートであった場合であっても、ソース機器１００へＣＥＣコマンドを適切に送信することができる。図６と同一の処理には同一符号を付し、説明を省略する。
【００７８】
リピータ２００の制御部２１は、ＣＥＣコマンドを受信したポートが優先フラグがＴＲＵＥに設定されているポートであるか否かを判断し（Ｓ３０３）、優先フラグがＦＡＬＳＥに設定されているポートであると判断された場合（Ｓ３０３でＮＯ）、リピータ２００が、優先フラグがＦＡＬＳＥに設定されているポートがシンク機器３００からＣＥＣコマンドを受信したとき、受信したＣＥＣコマンドをソース機器１００へ送信することを許可されているか否かを判断する（Ｓ４０１）。ユーザは優先フラグがＦＡＬＳＥに設定されているポートがシンク機器３００からＣＥＣコマンドを受信したときに、ＣＥＣコマンドを実行することを許可するか否かの設定をリピータ２００を操作することによって変更可能である。
【００７９】
許可されていると判断された場合（Ｓ４０１でＹＥＳ）、制御部２１は、図５を参照し、優先フラグがＴＲＵＥに設定されている方のソース機器１００へ提示した物理アドレスを特定する（Ｓ４０２）。例えば、優先フラグがＴＲＵＥに設定されている物理アドレスである（１．１．０．０）が特定される。
【００８０】
制御部２１は、Ｓ４０２の処理によって取得した物理アドレスを使用し、ＣＥＣコマンドを図３において優先フラグがＴＲＵＥに設定されている制御部２１のポート（ポートＡ）から出力する（Ｓ４０３）。ソース機器１００はリピータ２００からＣＥＣコマンドを受信し、ＣＥＣコマンドを実行する。
【００８１】
以上の本実施形態によると、制御部２１は、ＣＥＣ連動するように設定されていない（優先フラグがＦＡＬＳＥに設定されている）シンク機器３００（シンク機器３００Ｂ）からＣＥＣコマンドを受信した場合であっても、ソース機器１００に設定されている物理アドレスを用いて、ソース機器１００と接続されている制御部２１のポートからＣＥＣコマンドを送信できる。この結果、シンク機器３００Ａとシンク機器３００Ｂとは、双方からソース機器１００を制御することが可能である。
【００８２】
［ＣＥＣ連動処理の実施形態３］
図８のフローチャートは、第３の実施形態を示す。本実施形態によると、リピータ２００はソース機器１００からＣＥＣコマンドを受信したとき、優先フラグがＦＡＬＳＥに設定されているシンク機器３００にもＣＥＣコマンドを適切に送信することができる。なお、図８のフローチャートの開始時の優先フラグの設定は図３のテーブル２０１の状態であるとし、スイッチ２５はＳ０とＳ１とが接続された状態であるとする。
【００８３】
リピータ２００の制御部２１は、ソース機器１００からＣＥＣコマンドを受信したか否かを判断し（Ｓ５０１）、受信していないと判断された場合（Ｓ５０１でＮＯ）、ＣＥＣコマンドの受信を待つ。なお、スイッチ２５はＳ０とＳ１とを接続した状態となっているので、ＣＥＣコマンドの受信を待つポートはポートＡである。制御部２１はＣＥＣコマンドを受信したと判断した場合（Ｓ５０１でＹＥＳ）、シンク機器３００Ａとシンク機器３００Ｂとの双方へ映像を出力するよう設定されているか否か、すなわち、モニタアウト設定がＢｏｔｈ、Ｂｏｔｈ（Ｍａｉｎ）またはＢｏｔｈ（Ｓｕｂ）であるか否かを判断する（Ｓ５０２）。
【００８４】
制御部２１は、モニタアウト設定がＢｏｔｈ、Ｂｏｔｈ（Ｍａｉｎ）またはＢｏｔｈ（Ｓｕｂ）のいずれでもないと判断した場合（Ｓ５０２でＮＯ）、優先フラグがＴＲＵＥに設定されているポート（ポートＡ）からシンク機器３００ＡへＣＥＣコマンドを送信し（Ｓ５０６）、処理を終了する。この場合はシンク機器３００ＢへＣＥＣコマンドが送信されない。
【００８５】
制御部２１は、モニタアウト設定がＢｏｔｈ、Ｂｏｔｈ（Ｍａｉｎ）またはＢｏｔｈ（Ｓｕｂ）のいずれかであると判断した場合（Ｓ５０２でＹＥＳ）、優先フラグがＴＲＵＥに設定されているポート（ポートＡ）からシンク機器３００ＡへＣＥＣコマンドを送信する（Ｓ５０３）。シンク機器３００ＡへＣＥＣコマンドを送信するとき、制御部２１は、ソース機器１００から送信される物理アドレスをそのまま使用する。
【００８６】
制御部２１は、図３のテーブル２０１において優先フラグがＦＡＬＳＥに設定されているＨＤＭＩ  ＯＵＴ端子（ＨＤＭＩ  ＯＵＴ  Ｓｕｂ）に対応するリピータ２００の物理アドレスを特定し（２．０．０．０）、特定された物理アドレスに対応する、ソース機器１００に設定されている物理アドレス（２．１．０．０）を図５のテーブルによって、取得する（Ｓ５０４）。
【００８７】
制御部２１は、優先フラグがＦＡＬＳＥに設定されているポート（ポートＢ）から、Ｓ５０４で取得された物理アドレス（２．１．０．０）を使用してＣＥＣコマンドをシンク機器３００Ｂへ送信する。シンク機器３００Ｂは、１桁目が２から始まる物理アドレスを受信したとき、ＣＥＣコマンドを実行すべきと判断するので、リピータ２００から物理アドレス（２．１．０．０）を受信することによって、受信したＣＥＣコマンドを正常に実行できる。
【００８８】
以上の本実施形態によると、リピータ２００はソース機器１００からＣＥＣコマンドを受信したとき、優先フラグがＦＡＬＳＥに設定されているシンク機器３００にもＣＥＣコマンドを適切に送信することができ、双方のシンク機器３００をソース機器１００によって制御できる。例えば、リピータ２００がソース機器１００からシンク機器３００の入力セレクタを変更するＣＥＣコマンドを受信したとき、制御部２１はポートＡからシンク機器３００Ａへ入力セレクタを切り替えるコマンドを送信し、ポートＢからシンク機器３００Ｂへ入力セレクタを切り替えるコマンドを送信する。この結果、双方のシンク機器３００の入力セレクタはリピータ２００に接続されている入力セレクタへ切り替わり、ソース機器１００から送信される映像信号を出力可能な状態となる。
【００８９】
［ＣＥＣ連動処理の実施形態４］
図９のフローチャートは、第４の実施形態を示す。本実施形態によると、シンク機器３００の電源がオンされたとき、またはオフされたとき、制御部２１は自動的にスイッチ２５の接続を切り替え、さらに、ソース機器１００へ提示する物理アドレスを変更する。図１０〜１４は、ソース機器１００とリピータ２００とシンク機器３００との接続図を示し、図９のフローチャートを説明するために援用される。なお、優先フラグ等の設定は図３のテーブル２０１に示される状態であるとする。
【００９０】
図１０は、シンク機器３００Ｂの電源状態がＯＮまたはＯＦＦのいずれかであり、シンク機器３００Ａの電源がＯＦＦからＯＮ状態へ変更されたときの接続図を示す。制御部２１は、シンク機器３００のいずれか１つの電源状態がＯＮまたはＯＦＦに変更されたことを検出し（Ｓ６０１、図１０の（１））、ＯＮまたはＯＦＦを検出した制御部２１のポートを特定する（Ｓ６０２、図１０の（２））。制御部２１はシンク機器３００の電源状態を、ＣＥＣコマンドによってシンク機器３００に定期的に問い合わせることによって判断する。制御部２１がシンク機器３００へ電源状態を問い合わせる周期は、例えば３秒などである。
【００９１】
制御部２１は、シンク機器３００の電源がＯＮされたか否かを判断し（Ｓ６０３）、ＯＮされたと判断した場合（Ｓ６０３でＹＥＳ）、Ｓ６０２で特定された制御部２１のポートの優先フラグがＴＲＵＥであるか否かを図３のテーブル２０１によって判断し（Ｓ６０４）、優先フラグがＴＲＵＥであると判断された場合（Ｓ６０４でＹＥＳ）、制御部２１は、スイッチ２５を、優先フラグがＴＲＵＥであるポートがソース機器１００と接続されるように、Ｓ０とＳ１とが接続された状態へ切り替える（Ｓ６０５、図１０の（３））。
【００９２】
制御部２１は、リピータ２００が使用する物理アドレスを、ＨＤＭＩ  ＯＵＴ  Ｍａｉｎ側の物理アドレス（１．０．０．０）に設定し（Ｓ２０５、図１０の（４））、ソース機器１００へ、図５のテーブルにおいて優先フラグがＴＲＵＥの物理アドレス（１．１．０．０）を提示し、設定させる（Ｓ６０６、図１０の（５））。図１０の実施形態のとき、シンク機器３００Ａの電源がＯＮされることによって、シンク機器３００Ａとリピータ２００とソース機器１００とがＣＥＣラインで接続された状態となり、かつ、ソース機器１００に、シンク機器３００Ａと連動するための物理アドレス（１．１．０．０）が設定される。この結果、シンク機器３００Ａとリピータ２００とソース機器１００とがＣＥＣコマンドで連動可能となる。
【００９３】
図１１は、シンク機器３００Ａの電源状態がＯＦＦ状態であり、シンク機器３００Ｂの電源がＯＦＦからＯＮ状態へ変更されたとき（図１１の（１））の接続図を示す。制御部２１は、電源ＯＮを検出したポート（図１１の（２））の優先フラグがＦＡＬＳＥであると判断し（Ｓ６０４でＮＯ）、Ｓ６０１によって電源の状態が変更されたシンク機器３００とは異なる他方のシンク機器（シンク機器３００Ａ）の電源の状態がＯＮ状態であるか否かを判断し（Ｓ６０７）、ＯＦＦ状態であると判断されたとき（Ｓ６０７でＮＯ）、スイッチ２５を、優先フラグがＦＡＬＳＥであるポートがソース機器１００と接続されるように、Ｓ０とＳ２とが接続された状態へ切り替える（Ｓ６０８、図１１の（３））。
【００９４】
制御部２１は、リピータ２００が使用する物理アドレスを、ＨＤＭＩ  ＯＵＴ  Ｓｕｂ側の物理アドレス（２．０．０．０）に設定し（Ｓ２１２、図１１の（４））、ソース機器１００へ、図５のテーブルにおいて優先フラグがＦＡＬＳＥの物理アドレス（２．１．０．０）を提示し、設定させる（Ｓ６０９、図１１の（５））。
【００９５】
図１１の実施形態によると、優先フラグがＴＲＵＥのＨＤＭＩ  ＯＵＴ端子に接続されるシンク機器３００Ａの電源がＯＦＦの状態のときに、シンク機器３００Ｂの電源がＯＮされた場合、シンク機器３００Ｂとリピータ２００とソース機器１００とがＣＥＣコマンドで連動するように設定される。
【００９６】
図１２は、シンク機器３００Ｂの電源状態がＯＮ状態であり、シンク機器３００Ａの電源がＯＮからＯＦＦ状態へ変更されたときの接続図を示す。制御部２１は、Ｓ６０３の処理によってシンク機器３００Ａの電源がＯＦＦに変更されたことを検出し（Ｓ６０３でＮＯ、図１２の（１））、Ｓ６０１によって電源の状態が変更されたシンク機器３００とは異なる他方のシンク機器（シンク機器３００Ｂ）の電源の状態がＯＮ状態であるか否かを判断する（Ｓ６１０）。制御部２１は、シンク機器３００Ｂの電源状態がＯＮ状態であると判断し（Ｓ６１０でＹＥＳ）、Ｓ６１０でＯＮ状態であると判断されたシンク機器３００（シンク機器３００Ｂ）が、優先フラグがＴＲＵＥであるポートに接続されているか否かを判断する（Ｓ６１１）。シンク機器３００ＢはポートＢに接続されているので、優先フラグがＦＡＬＳＥであるポートに接続されていると判断される（Ｓ６１１でＮＯ）。
【００９７】
制御部２１は、スイッチ２５を、優先フラグがＦＡＬＳＥであるポート（図１２の（２））がソース機器１００と接続されるように、Ｓ０とＳ２とが接続された状態へ切り替える（Ｓ６１２、図１２の（３））。制御部２１は、リピータ２００が使用する物理アドレスを、ＨＤＭＩ  ＯＵＴ  Ｓｕｂ側の物理アドレス（２．０．０．０）に設定し（Ｓ２１２、図１２の（４））、ソース機器１００へ、図５のテーブルにおいて優先フラグがＦＡＬＳＥの物理アドレス（２．１．０．０）を提示し、設定させる（Ｓ６１３、図１２の（５））。
【００９８】
図１２の実施形態によると、優先フラグがＴＲＵＥのＨＤＭＩ  ＯＵＴ端子に接続されるシンク機器３００Ａの電源がＯＮ状態からＯＦＦ状態へ変更されたときに、シンク機器３００Ｂの電源がＯＮであった場合、シンク機器３００Ｂとリピータ２００とソース機器１００とがＣＥＣコマンドで連動するように設定される。
【００９９】
図１３は、シンク機器３００Ａの電源状態がＯＮ状態であり、シンク機器３００Ｂの電源がＯＮからＯＦＦ状態へ変更されたときの接続図を示す。制御部２１は、Ｓ６０３の処理によってシンク機器３００Ｂの電源がＯＦＦに変更されたことを検出し（Ｓ６０３でＮＯ、図１３の（１））、Ｓ６０１によって電源の状態が変更されたシンク機器３００とは異なる他方のシンク機器（シンク機器３００Ａ）の電源の状態がＯＮ状態であると判断し、Ｓ６１０でＯＮ状態であると判断されたシンク機器３００（シンク機器３００Ａ）が、優先フラグがＴＲＵＥであるポート（図１３の（２））に接続されているか否かを判断する（Ｓ６１１）。シンク機器３００ＡはポートＡに接続されているので、優先フラグがＴＲＵＥであるポートに接続されていると判断される（Ｓ６１１でＹＥＳ）。
【０１００】
制御部２１は、スイッチ２５を、優先フラグがＴＲＵＥであるポートがソース機器１００と接続されるようにＳ０とＳ１とが接続された状態へ切り替える（Ｓ６０５、図１３の（３））。制御部２１は、リピータ２００が使用する物理アドレスを、ＨＤＭＩ  ＯＵＴ  Ｍａｉｎ側の物理アドレス（１．０．０．０）に設定し（Ｓ２０５、図１３の（４））、ソース機器１００へ、図５のテーブルにおいて優先フラグがＴＲＵＥの物理アドレス（１．１．０．０）を提示し、設定させる（Ｓ６０６、図１３の（５））。
【０１０１】
図１３の実施形態によると、優先フラグがＦＡＬＳＥのＨＤＭＩ  ＯＵＴ端子に接続されるシンク機器３００Ｂの電源がＯＮ状態からＯＦＦ状態へ変更されたときに、シンク機器３００Ａの電源がＯＮであった場合、シンク機器３００Ａとリピータ２００とソース機器１００とがＣＥＣコマンドで連動するように設定される。
【０１０２】
図１４は、シンク機器３００Ａの電源状態がＯＦＦ状態であり、シンク機器３００Ｂの電源がＯＮからＯＦＦ状態へ変更されたときの接続図を示す。制御部２１は、Ｓ６０３の処理によってシンク機器３００Ｂの電源がＯＦＦに変更されたことを検出し（Ｓ６０３でＮＯ、図１４の（１））、Ｓ６０１によって電源の状態が変更されたシンク機器３００とは異なる他方のシンク機器（シンク機器３００Ａ）の電源の状態がＯＮ状態であると判断し、スイッチ２５を、優先フラグがＴＲＵＥであるポート（図１４の（２））がソース機器１００と接続されるようにＳ０とＳ１とが接続された状態へ切り替える（Ｓ６０５、図１４の（３））。制御部２１は、リピータ２００が使用する物理アドレスを、ＨＤＭＩ  ＯＵＴ  Ｍａｉｎ側の物理アドレス（１．０．０．０）に設定し（Ｓ２０５、図１４の（４））、ソース機器１００へ、図５のテーブルにおいて優先フラグがＴＲＵＥの物理アドレス（１．１．０．０）を提示し、設定させる（Ｓ６０６、図１４の（５））。
【０１０３】
図１４の実施形態によると、シンク機器３００が双方ともＯＦＦの状態になったとき、優先フラグがＯＮであるＨＤＭＩ  ＯＵＴ端子に接続されるシンク機器３００Ａと、リピータ２００とソース機器１００とがＣＥＣコマンドで連動するように設定される。すなわち、シンク機器３００が双方ともＯＦＦの状態のとき、モニタアウト設定によって優先されるように設定されているシンク機器３００とリピータ２００とソース機器１００とが連動するように接続される。
【０１０４】
［ＣＥＣ連動処理の実施形態５］
図１５のフローチャートは、第５の実施形態を示す。図１６は、図３のテーブル２０１に、各ＨＤＭＩ  ＯＵＴ出力端子から入力されるＡＲＣ信号を、メインルームまたはゾーン２ルームのいずれから出力するかを示す出力ゾーンを追加したテーブル２０１を示す。図１６のテーブル２０１は、ＨＤＭＩ  ＯＵＴ  Ｍａｉｎに接続されるシンク機器３００Ａから出力されるＡＲＣ信号はメインゾーンに設置されるスピーカー３０Ａから出力され、ＨＤＭＩ  ＯＵＴ  Ｓｕｂに接続されるシンク機器３００Ｂから出力されるＡＲＣ信号はゾーン２に設置されるスピーカー３０Ｂから出力されるように設定されている。なお、シンク機器３００が送信するＡＲＣ信号は、ＳＰＤＩＦ形式の音声信号であり、例えばシンク機器３００が受信するＴＶ放送の音声信号である。
【０１０５】
本実施形態によると、シンク機器３００のいずれか、または両方からＡＲＣの認証を実行するためのＣＥＣコマンド（以下、ＡＲＣ認証コマンドという。）が送信されたとき、リピータ２００はＡＲＣ認証コマンドを送信したシンク機器３００と正常にＡＲＣ認証処理を実行できる。その結果、リピータ２００はシンク機器３００から送信されるＡＲＣ信号をメインゾーンまたはゾーン２に設置されるスピーカー３０から出力できる。
【０１０６】
制御部２１は、シンク機器３００からＡＲＣの開始要求を示すＣＥＣコマンドである＜Ｒｅｑｕｅｓｔ  ＡＲＣ  Ｉｎｉｔｉａｔｉｏｎ＞を受信する（Ｓ７０１）。制御部２１は＜Ｒｅｑｕｅｓｔ  ＡＲＣ  Ｉｎｉｔｉａｔｉｏｎ＞を受信したポートを特定し（Ｓ７０２）、特定されたポートの出力ゾーンを図１６を参照して取得する（Ｓ７０３）。例えば、シンク機器３００ＢがＳ７０１のＣＥＣコマンドを送信したとき、ポートＢが特定され、ポートＢに対応するゾーンとして、ゾーン２が特定される。
【０１０７】
制御部２１は、Ｓ７０３によって特定されたゾーンがゾーン２であると判断されたとき（Ｓ７０４でＹＥＳ）、音声処理部２６Ｂと増幅部２７Ｂとを特定し（Ｓ７０５）、メインゾーンであると判断されたとき（Ｓ７０４でＮＯ）、音声処理部２６Ａと増幅部２７Ａとを特定する（Ｓ７０８）。
【０１０８】
制御部２１は、ＡＲＣ信号を出力する準備ができたことを示すＣＥＣコマンドである＜Ｉｎｉｔｉａｔｅ  ＡＲＣ＞をＳ７０２によって特定されたポートからシンク機器３００へ送信する（Ｓ７０６）。
【０１０９】
制御部２１は、シンク機器３００から送信されるＡＲＣ信号をＳ７０５またはＳ７０８によって特定された音声処理部２６及び増幅部２７へ入力し（Ｓ７０７）、スピーカー３０から出力する。
【０１１０】
以上の実施形態によると、リピータ２００はシンク機器３００からＡＲＣ認証コマンドが送信されたとき、ＡＲＣ認証コマンドを送信したシンク機器３００と正常にＡＲＣ認証処理を実行し、リピータ２００はシンク機器３００から送信されるＡＲＣ信号をメインゾーンまたはゾーン２に設置されるスピーカー３０から出力できる。
【０１１１】
以上、本発明の好ましい実施形態について説明したが、本発明はこれらの実施形態には限定されない。リピータ２００にシンク機器３００が３台以上接続されてもよい。その場合、ＣＥＣ処理用の制御部のポートは３つ以上必要である。また、リピータ２００にソース機器１００が２台以上接続されてもよい。また、ゾーンの数は２より多くてもよい。
【産業上の利用可能性】
【０１１２】
本発明は、ＡＶレシーバー、ＡＶアンプ、ＴＶ等の機器に好適に採用され得る。
【符号の説明】
【０１１３】
１００          ソース機器
２００          リピータ
３００Ａ        シンク機器
３００Ｂ        シンク機器
１１              制御部
１２              メモリ
１３            再生部
１４            ＨＤＭＩ送信部
１５            コネクタ部
２１            制御部
２２            メモリ
２３            コネクタ部
２４            ＨＤＭＩ受信部
２５            スイッチ
２６Ａ          音声処理部
２６Ｂ          音声処理部
２７Ａ          増幅部
２７Ｂ          増幅部
２８            ＨＤＭＩ送信部
２９Ａ          コネクタ部
２９Ｂ          コネクタ部
３０Ａ                スピーカー
３０Ｂ          スピーカー
４１Ａ                制御部
４１Ｂ                制御部
４２Ａ          メモリ
４２Ｂ          メモリ
４３Ａ          ＨＤＭＩ受信部
４３Ｂ          ＨＤＭＩ受信部
４４Ａ          表示部
４４Ｂ          表示部
４５Ａ          コネクタ部
４５Ｂ          コネクタ部
【図１】
0005810886.tif 000002
【図２】
0005810886.tif 000003
【図３】
0005810886.tif 000004
【図４】
0005810886.tif 000005
【図５】
0005810886.tif 000006
【図６】
0005810886.tif 000007
【図７】
0005810886.tif 000008
【図８】
0005810886.tif 000009
【図９】
0005810886.tif 000010
【図１０】
0005810886.tif 000011
【図１１】
0005810886.tif 000012
【図１２】
0005810886.tif 000013
【図１３】
0005810886.tif 000014
【図１４】
0005810886.tif 000015
【図１５】
0005810886.tif 000016
【図１６】
0005810886.tif 000017
【図１７】
0005810886.tif 000018